(57)【要約】【課題】テープリールに巻回された磁気テープのテープエンドをドライブ装置に確実に検出させ得る情報記録媒体を提供する。【解決手段】テープリールと、テープエンド検出用の検出光を入射させる窓部２３および検出光を射出させる窓部３４が形成されると共にテープリールを収容するケース本体３と、ケース本体３の引き出し口３ａを開閉するフロントカバー７と、テープリールに対して接離する方向に沿ってスライド可能に配設された本体部４１およびフロントカバー７の回動に伴って窓部２３，３４の間において移動して本体部４１をスライドさせる腕部４２を有するリールブレーキ４とを備え、ケース本体３は、側壁２２ｄ，２２ｅ，３２ｄ，３２ｅにおける窓部２３，３４の近傍にそれぞれ配設されて上下方向への腕部４２の振れを規制するリブ２４，３５を備えている。【選択図】図１１
2006351050.tif 000002
【特許請求の範囲】
【請求項１】
磁気テープを巻回するテープリールと、前記磁気テープのテープエンドを検出するための検出光を内部に入射させる第１窓部および当該検出光を外部に射出させる第２窓部がその側壁に形成されると共に前記テープリールを回転可能に収容するケース本体と、当該ケース本体に回動可能に取り付けられて前記磁気テープの引き出し口を開閉するフロントカバーと、前記テープリールに対して接離する方向に沿ってスライド可能に前記ケース本体に配設された本体部および当該本体部に形成されると共に前記フロントカバーの回動に伴って前記両窓部の間において前記接離する方向に沿って移動して当該本体部をスライドさせる腕部を有して当該テープリールの回転規制および当該回転規制の解除を行うリールブレーキとを備え、
前記ケース本体は、前記側壁における前記第１窓部および前記第２窓部の近傍にそれぞれ配設されて前記接離する方向に直交する方向への前記腕部の振れを規制する一対のリブを備えている情報記録媒体。
【請求項２】
前記一対のリブは、前記両窓部における前記引き出し口側の端部に隣接した状態で配設されている請求項１記載の情報記録媒体。
【発明の詳細な説明】
【技術分野】
【０００１】
本発明は、磁気テープを巻回するテープリールと、テープリールの回転を規制するリールブレーキとを備えた情報記録媒体に関するものである。
【背景技術】
【０００２】
この種の情報記録媒体として、特開２０００−１３７９７１号公報に開示されたテープカートリッジが知られている。このテープカートリッジは、磁気テープを巻装した一対のリールと、上ハーフおよび下ハーフで構成されて各リールを回転可能に収容するシェルと、シェルの前端面側に回動可能に取り付けられてシェルのテープ引出用のポケット部を開閉するリッド（フロントカバー）と、ポケット部の底部を開閉するスライドシャッターと、リッドの開閉動作（回動）に連動して各リールのロックおよびロック解除を行うリールロック部材とを備えている。この場合、リールロック部材は、リールに係合する本体部と、本体部の両側部にそれぞれ配設された一対の脚部と、先端部にリッド係合部を有して両脚部の一端部にそれぞれ配設された弾性アームとを備えて構成され、リッドが回動する際に、リッドのリールロック部材係合部とリッド係合部とが係合して弾性アームが下ハーフ（シェル）の左右の内側面に沿って移動させられることにより、リールロック方向およびロック解除方向にスライドさせられる。
【特許文献１】特開２０００−１３７９７１号公報（第３−５頁、第１図）
【発明の開示】
【発明が解決しようとする課題】
【０００３】
ところが、上記のテープカートリッジには、以下の問題点がある。すなわち、この種のテープカートリッジを駆動するドライブ装置では、テープカートリッジ内の磁気テープに対して検出光を照射して、磁気テープのテープエンドを検出している。このため、これらのテープカートリッジには、検出光をシェルの内部に入射させる窓部、および検出光をシェルの外部に射出させる窓部が、シェルの側壁に形成されている。この場合、シェルの内側面に沿って移動するリールロック部材の弾性アームによって両窓部からの検出光の入射および出射が阻害されないようにするために、両窓部を塞がない位置でリールロック部材の弾性アームを移動させるのが好ましい。一方、これらのテープカートリッジでは、回動するリッドのリールロック部材係合部が弾性アームのリッド係合部に係合して弾性アームを押し引きすることで弾性アームが移動させられる。この場合、リッドのリールロック部材係合部がリッドの中心軸を中心として円運動するため、弾性アームの先端部には、リールロック部材係合部を介して斜め上方向または斜め下方向への力が加えられる。このため、これらのテープカートリッジでは、弾性アームの移動の際に、弾性アームが上下方向に振れることがある。また、これらのテープカートリッジでは、スライドの際のリールロック部材のがたつきに起因して弾性アームが上下方向に振れることもある。したがって、これらのテープカートリッジには、移動時における弾性アームの上下方向への振れによって両窓部が塞がれて、両窓部からの検出光の入射および出射が阻害され、その結果、磁気テープのテープエンドの検出が困難となるおそれがあるという問題点が存在する。
【０００４】
本発明は、かかる問題点に鑑みてなされたものであり、テープリールに巻回された磁気テープのテープエンドをドライブ装置に確実に検出させ得る情報記録媒体を提供することを主目的とする。
【課題を解決するための手段】
【０００５】
上記目的を達成すべく本発明に係る情報記録媒体は、磁気テープを巻回するテープリールと、前記磁気テープのテープエンドを検出するための検出光を内部に入射させる第１窓部および当該検出光を外部に射出させる第２窓部がその側壁に形成されると共に前記テープリールを回転可能に収容するケース本体と、当該ケース本体に回動可能に取り付けられて前記磁気テープの引き出し口を開閉するフロントカバーと、前記テープリールに対して接離する方向に沿ってスライド可能に前記ケース本体に配設された本体部および当該本体部に形成されると共に前記フロントカバーの回動に伴って前記両窓部の間において前記接離する方向に沿って移動して当該本体部をスライドさせる腕部を有して当該テープリールの回転規制および当該回転規制の解除を行うリールブレーキとを備え、前記ケース本体は、前記側壁における前記第１窓部および前記第２窓部の近傍にそれぞれ配設されて前記接離する方向に直交する方向への前記腕部の振れを規制する一対のリブを備えている。
【０００６】
この場合、前記両窓部における前記引き出し口側の端部に隣接した状態で前記一対のリブを配設することができる。
【発明の効果】
【０００７】
本発明に係る情報記録媒体によれば、ケース本体の側壁における第１窓部および第２窓部の近傍にそれぞれ配設されてテープリールに対して接離する方向に直交する方向（上下方向）への腕部の振れを規制する一対のリブを備えたことにより、腕部が移動させられる際にフロントカバーを介して腕部の先端部に斜め上方向や斜め下方向への力が加えられたり、リールブレーキがスライドする際にがたつきが生じたりしたとしても、腕部の上下方向への振れによって両窓部が塞がれる事態を確実に防止することができる。この結果、両窓部からの検出光の入射および射出が阻害されて磁気テープのテープエンドの検出が困難となる事態を確実に防止することができるため、テープリールに巻回された磁気テープのテープエンドをドライブ装置に確実に検出させることができる。
【０００８】
また、本発明に係る情報記録媒体によれば、両窓部における引き出し口側の端部に隣接した状態で一対のリブを配設したことにより、例えば、リールブレーキの本体部がスライドする際に大きくがたついたとしても、本体部のがたつきによって先端部に向かうに従って大きくなる腕部の振れを、腕部の先端部側であって両窓部の近傍の位置において規制することができるため、両窓部の間における腕部の上下方向への振れを十分に小さく抑えることができる。
【発明を実施するための最良の形態】
【０００９】
以下、本発明に係る情報記録媒体の最良の形態について、添付図面を参照して説明する。
【００１０】
最初に、情報記録媒体１の構成について、図面を参照して説明する。
【００１１】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、リールブレーキ４、シート５，５、スライド部６およびフロントカバー７を備えて構成されている。
【００１２】
テープリール２は、図１，２に示すように、磁気テープＴを巻回可能に構成されて、ケース本体３の内部に収容されている。この場合、テープリール２の一端部（図１における上端部）には、リールブレーキ４の突起部４１ａが係合することによって回転が規制される歯部２ａが形成されている。ここで、テープリール２に巻回される磁気テープＴの両端部には、透明または半透明のリーダーテープ（図示せず）がそれぞれ取り付けられており、各リーダーテープの端部が各テープリール２，２にそれぞれ固定されている。
【００１３】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１および側壁２２ａ〜２２ｆを備えて、全体として、浅皿状に形成されている。底板２１は、情報記録媒体１をドライブ装置に挿入する際の前面側（同図における下側）の中央部に切り欠き部２１ａが形成されて構成されている。この場合、この切り欠き部２１ａおよび後述する上ケース１２の開口部１２ａによって磁気テープＴを引き出すための引き出し口３ａ（図１０参照）が構成される。また、底板２１には、ドライブ装置の駆動軸を挿通させるための円形の挿通孔２１ｂ，２１ｂが形成されている。また、底板２１の切り欠き部２１ａ側には、スライド部６をスライド不可状態にロックするためのアーム状のロック部２１ｃ，２１ｃが形成されている。この場合、ロック部２１ｃは、図１に示すロックスプリング８ａによってその先端部がスライド部６側に向けて押圧される。
【００１４】
側壁２２ａ〜２２ｆは、底板２１の縁部にそれぞれ立設されている。また、側壁２２ｄ，２２ｅには、図１１に示すように、矩形の孔で構成された窓部２３（本発明における第１窓部）がそれぞれ形成されている。この場合、窓部２３は、ドライブ装置の検出部から出射される磁気テープＴのテープエンド検出用の検出光をケース本体３の内部に入射させる。また、側壁２２ｄ，２２ｅには、同図に示すように、窓部２３における引き出し口３ａ側の端部に隣接した状態でリブ２４がそれぞれ形成（配設）されている。この場合、リブ２４は、後述するリールブレーキ４の腕部４２が移動する際に、テープリール２，２に対して接離する方向に直交する方向（ケース本体３の厚み方向であって、同図における上方向）への腕部４２の振れを規制する機能を有している。
【００１５】
上ケース１２は、図４に示すように、天板３１、側壁３２ａ〜３２ｅを備えて、ドライブ装置に挿入する際の前面側（同図では下側）に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３３が取り付けられている。側壁３２ａ〜３２ｅは、天板３１の縁部にそれぞれ立設されている。また、側壁３２ｄ，３２ｅには、図１１に示すように、矩形の孔で構成された窓部３４（本発明における第２窓部）がそれぞれ形成されている。この場合、窓部３４は、下ケース１１の窓部２３から入射して、下ケース１１または上ケース１２に配設されている図外のプリズムによって光路をＵ字状に変更させられた検出光をケース本体３の外部に射出させる。また、側壁３２ｄ，３２ｅには、同図に示すように、窓部３４における引き出し口３ａ側の端部に隣接した状態でリブ３５がそれぞれ形成（配設）されている。この場合、リブ３５は、リールブレーキ４の腕部４２が移動する際に、テープリール２，２に対して接離する方向に直交する方向（ケース本体３の厚み方向であって、同図における下方向）への腕部４２の振れを規制する機能を有している。つまり、この情報記録媒体１では、ケース本体３における側壁２２ｄ，３２ｄ（いずれも本発明における側壁）に一対のリブ２４，３５が形成されると共に、ケース本体３における側壁２２ｅ，３２ｅ（いずれも本発明における側壁）に一対のリブ２４，３５が形成されて、これら二対のリブ２４，２４，３５，３５によってテープリール２，２に対して接離する方向に直交する方向（図１１における上下方向）への腕部４２の振れが規制されている。
【００１６】
リールブレーキ４は、図５に示すように、本体部４１および腕部４２，４２を備えて構成されている。本体部４１は、図２に示すように、テープリール２，２に対して接離する方向に沿ってスライド可能にケース本体３の内部に配設されると共に、図１に示すブレーキスプリング８ｂによってテープリール２，２に近接する向きに付勢されている。また、本体部４１には、２つの突起部４１ａ，４１ａが形成されている。この場合、本体部４１は、図２，８に示すように、テープリール２，２に近接したときに、突起部４１ａ，４１ａがテープリール２，２の歯部２ａにそれぞれ係合することにより、テープリール２，２の回転を規制する。また、本体部４１は、図１０に示すように、テープリール２，２から離間したときにテープリール２，２の歯部２ａに対する突起部４１ａ，４１ａの係合が解除されることにより、テープリール２，２の回転規制を解除する。
【００１７】
腕部４２，４２は、図５に示すように、本体部４１の両端部にそれぞれ突出形成されている。この場合、腕部４２，４２は、図９，１１に示すように、フロントカバー７が回動する際に、その先端部に形成されている突起部４２ａがフロントカバー７の突起部７２ｂ，７２ｃに係合して、フロントカバー７の回動に伴って移動することにより、テープリール２，２に対して接離する方向に沿って本体部４１をスライドさせる。また、腕部４２，４２は、図９，１１に示すように、下ケース１１の側壁２２ｄ，２２ｅにそれぞれ形成されている窓部２３と、上ケース１２の側壁３２ｄ，３２ｅにそれぞれ形成されている窓部３４との間において、テープリール２，２に対して接離する方向に沿ってそれぞれ移動するようにその長さや位置が規定されている。
【００１８】
シート５，５は、例えば、樹脂材料によって成形されたシートであって、図１に示すように、下ケース１１とテープリール２との間、およびテープリール２と上ケース１２との間にそれぞれ配設されている。このシート５は、テープリール２を円滑に回転動作させると共に、磁気テープＴの幅方向への移動を防止することによって磁気テープＴをテープリール２に整然と巻き取らせる機能を有している。
【００１９】
スライド部６は、図６に示すように、本体部６１および側壁６２，６２を備えて構成されている。本体部６１は、矩形の板状に形成されている。また、本体部６１には、ドライブ装置の駆動軸を挿通させるための円形の挿通孔６１ａ，６１ａが形成されている。また、本体部６１には、下ケース１１におけるロック部２１ｃの先端部に係合する一対の係合孔６１ｂ，６１ｂおよび一対の係合孔６１ｃ，６１ｃが形成されている。側壁６２，６２は、本体部６１の両端部にそれぞれ立設されている。この場合、スライド部６は、図８，１０に示すように、下ケース１１にスライド可能に嵌め合わされて、図１に示すスライドスプリング８ｃによって下ケース１１の切り欠き部２１ａ側に向けて付勢されている。
【００２０】
フロントカバー７は、図７に示すように、本体部７１、および本体部７１の両端部に形成された支持部７２，７２を備えて構成されている。また、支持部７２，７２には、回転軸７２ａおよび突起部７２ｂ，７２ｃがそれぞれ形成されている。この場合、フロントカバー７は、図９，１１に示すように、上ケース１２の側壁３２ｄ，３２ｅにおける開口部１２ａの近傍に形成された保持部（図示せず）に支持部７２の回転軸７２ａが嵌め合わされることにより、保持部によって回動可能に保持されている。また、フロントカバー７は、図１に示すカバースプリング８ｄによって、図８に示す矢印Ａの方向に付勢されている。さらに、フロントカバー７は、ドライブ装置によって回動させられることにより、本体部７１によって開口部１２ａを開閉する。また、フロントカバー７は、回動させられる際に、支持部７２の突起部７２ｂ，７２ｃがリールブレーキ４における腕部４２の突起部４２ａに係合して腕部４２を移動させることにより、リールブレーキ４の本体部４１をテープリール２，２に対して接離する方向に沿ってスライドさせる。
【００２１】
次に、情報記録媒体１を用いたデータの記録再生方法について、図面を参照して説明する。
【００２２】
この情報記録媒体１が図外のドライブ装置から取り出されている状態、つまり非使用時においては、図８に示すように、リールブレーキ４の本体部４１が、ブレーキスプリング８ｂの付勢力によってテープリール２，２に近接している。このため、本体部４１の突起部４１ａ，４１ａがテープリール２，２の歯部２ａにそれぞれ係合して、テープリール２，２の回転が規制されている。また、同図に示すように、フロントカバー７が、カバースプリング８ｄによって矢印Ａの方向に付勢されて、ケース本体３における上ケース１２の開口部１２ａを閉塞している。また、スライド部６が、下ケース１１における底板２１の切り欠き部２１ａ側の位置Ｐ１に位置して、底板２１の挿通孔２１ｂ，２１ｂおよび切り欠き部２１ａを閉塞している。この場合、スライド部６は、下ケース１１におけるロック部２１ｃ，２１ｃの先端部が本体部６１の係合孔６１ｂ，６１ｂにそれぞれ係合することにより、スライド不可状態にロックされている。
【００２３】
一方、情報記録媒体１がドライブ装置の挿入口から装填部に向けて挿入されたときには、装填部が情報記録媒体１を内部に引き込む。この場合、ロック部２１ｃ，２１ｃの先端部が挿入口の近傍に取り付けられた当接部（図示せず）に当接した状態で情報記録媒体１が引き込まれるため、ロック部２１ｃ，２１ｃの先端部が上方向に押し上げられて、スライド部６の係合孔６１ｂ，６１ｂとの係合が解除されて、スライド部６のスライド不可状態が解除される。このため、図１０に示すように、スライド部６が、スライドスプリング８ｃ（図１参照）による付勢力に抗して下ケース１１の側壁２２ａ側にスライドさせられて、位置Ｐ２に位置する。この状態では、スライド部６の挿通孔６１ａと下ケース１１の挿通孔２１ｂとが連通すると共に、下ケース１１における底板２１の切り欠き部２１ａが開口される。この場合、スライド部６は、下ケース１１におけるロック部２１ｃ，２１ｃの先端部が本体部６１の係合孔６１ｃ，６１ｃにそれぞれ係合することにより、スライド不可状態にロックされている。次に、装填部が、ドライブ装置内の駆動軸の先端部に向けて情報記録媒体１を移動させる。この際に、駆動軸が挿通孔６１ａ，２１ａを通ってテープリール２の中心部に挿入される。
【００２４】
次に、ドライブ装置が、図１０に示すように、カバースプリング８ｄの付勢力に抗してフロントカバー７を矢印Ｂの方向に回動させることにより、上ケース１２の開口部１２ａが開口される。この際に、図１１に示すように、フロントカバー７における支持部７２の突起部７２ｂが、リールブレーキ４の腕部４２における先端部の突起部４２ａに係合して、腕部４２を開口部１２ａ側に移動させる。これに伴い、リールブレーキ４の本体部４１が、ブレーキスプリング８ｂによる付勢力に抗してテープリール２，２から離間する方向に沿ってスライドさせられる。このため、テープリール２，２の歯部２ａと本体部４１の突起部４１ａ，４１ａとの係合が解除されて、テープリール２，２の回転の規制が解除される。
【００２５】
次いで、ドライブ装置が磁気テープＴを磁気ヘッドに当接させると共に、テープリール２，２を回転させて、データの読み出しや書き込みを開始する。また、ドライブ装置に配設されているテープエンド検出部が、検出光を射出する。この場合、検出光は、ケース本体３における下ケース１１の窓部２３から入射して、磁気テープＴに照射される。続いて、磁気テープＴが一方のテープリール２に巻き取られて、他方のテープリール２に巻回されていた磁気テープＴがテープエンドとなったときには、検出光が、磁気テープＴの端部に取り付けられているリーダーテープを透過して、ケース本体３内に配設されている図外のプリズムによって光路がＵ字状に変更させられて、ケース本体３における上ケース１２の窓部３４を介してケース本体３の外部に射出される。この際に、テープエンド検出部が検出光を受光し、これに応じて、ドライブ装置がデータの読み出しや書き込みを終了すると共に、テープリール２，２の回転を停止させる。次に、ドライブ装置は、磁気テープＴから磁気ヘッドを離間させる。
【００２６】
この場合、下ケース１１の側壁２２ｄ，２２ｅに、リブ２４がそれぞれ形成されると共に、上ケース１２の側壁３２ｄ，３２ｅに、リブ３５がそれぞれ形成されて、上下方向への腕部４２の振れが規制されている。このため、腕部４２が移動させられる際に、フロントカバー７の突起部７２ｂを介して腕部４２の先端部に斜め上方向や斜め下方向への力が加えられたり、リールブレーキ４の本体部４１がスライドする際にがたついたりしたとしても、腕部４２の上下方向への振れによって窓部２３，３４が塞がれる事態が確実に防止される。この結果、窓部２３，３４からの検出光の入射および射出が阻害されて磁気テープＴのテープエンドの検出が困難となる事態が確実に防止される。ここで、スライドする際の本体部４１のがたつきによる腕部４２の振れは、腕部４２の先端部に向かうに従って大きくなる。このため、窓部２３，３４の間における腕部４２の上下方向への振れを小さく抑えるためには、腕部４２の先端部側であって窓部２３，３４の近傍の位置において腕部４２の振れを規制するのが好ましい。この点に関して、この情報記録媒体１では、窓部２３における引き出し口３ａ側の端部に隣接した状態でリブ２４が形成され、窓部３４における引き出し口３ａ側の端部に隣接した状態でリブ３５が形成されている。このため、この情報記録媒体１では、本体部４１が大きくがたついたとしても、窓部２３，３４の間における腕部４２の上下方向への振れが十分に小さく抑えられる。
【００２７】
次いで、装填部は、駆動軸の先端部から情報記録媒体１を離間させる。続いて、ドライブ装置が、図８に示す矢印Ａの方向にフロントカバー７を回動させることにより、同図に示すように、上ケース１２の開口部１２ａが閉塞される。この際に、図９に示すように、フロントカバー７における支持部７２の突起部７２ｃが、リールブレーキ４の腕部４２における先端部の突起部４２ａに係合して、腕部４２をテープリール２側に移動させる。これに伴い、リールブレーキ４の本体部４１が、テープリール２，２に近接する方向に沿ってスライドさせられる。このため、テープリール２，２の歯部２ａと本体部４１の突起部４１ａ，４１ａとが係合して、テープリール２，２の回転が規制される。次に、装填部が、挿入口の外側に向けて情報記録媒体１を押し出す。この際に、図８に示すように、スライド部６が、位置Ｐ１側にスライドさせられて、下ケース１１における底板２１の切り欠き部２１ａおよび挿通孔２１ｂ，２１ｂが閉塞される。これにより、情報記録媒体１がドライブ装置の挿入口から取り出し可能な状態となる。
【００２８】
このように、この情報記録媒体１によれば、ケース本体３の窓部２３，３４の近傍にそれぞれ配設されてテープリール２，２に対して接離する方向に直交する方向（ケース本体３の厚み方向）への腕部４２の振れを規制するリブ２４，３５を備えたことにより、腕部４２が移動させられる際にフロントカバー７の突起部７２ｂ，７２ｂを介して腕部４２の先端部に斜め上方向や斜め下方向への力が加えられたり、リールブレーキ４の本体部４１がスライドする際にがたついたりしたとしても、腕部４２の上下方向への振れによって窓部２３，３４が塞がれる事態を確実に防止することができる。この結果、窓部２３，３４からの検出光の入射および射出が阻害されて磁気テープＴのテープエンドの検出が困難となる事態を確実に防止することができるため、テープリール２，２に巻回された磁気テープＴのテープエンドをドライブ装置に確実に検出させることができる。
【００２９】
この場合、本体部４１のがたつきによる腕部４２の振れは、腕部４２の先端部に向かうに従って大きくなる。このため、窓部２３，３４の間における腕部４２の上下方向への振れを小さく抑えるためには、腕部４２の先端部側であって窓部２３，３４の近傍の位置において腕部４２の振れを規制するのが好ましい。したがって、この情報記録媒体１によれば、窓部２３，３４における引き出し口３ａ側の端部に隣接した状態でリブ２４，３５を配設したことにより、本体部４１が大きくがたついたとしても、窓部２３，３４の間における腕部４２の上下方向への振れを十分小さく抑えることができる。
【００３０】
なお、本発明は、上記の構成に限定されない。例えば、上記の情報記録媒体１では、窓部２３，３４における引き出し口３ａ側の端部に隣接した状態でリブ２４，３５を形成した例について上記したが、この位置に限定されず、窓部２３，３４の近傍における任意の位置にリブ２４，３５を形成（配設）することができる。この場合、窓部２３，３４よりもテープリール２側（図１０における左側）にリブ２４，３５を形成する構成を採用することもできる。
【００３１】
また、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。
【図面の簡単な説明】
【００３２】
【図１】情報記録媒体１の分解斜視図である。
【図２】情報記録媒体１の平面図である。
【図３】下ケース１１の内面側から見た平面図である。
【図４】上ケース１２の内面側から見た平面図である。
【図５】リールブレーキ４の平面図である。
【図６】スライド部６の平面図である。
【図７】フロントカバー７の裏面図である。
【図８】スライド部６が位置Ｐ１に位置しているときの情報記録媒体１の側面図である。
【図９】スライド部６が位置Ｐ１に位置しているときのリールブレーキ４およびフロントカバー７の位置関係を示す側面図である。
【図１０】スライド部６が位置Ｐ２に位置しているときの情報記録媒体１の側面図である。
【図１１】スライド部６が位置Ｐ２に位置しているときのリールブレーキ４およびフロントカバー７の位置関係を示す側面図である。
【符号の説明】
【００３３】
１  情報記録媒体
２  テープリール
３  ケース本体
３ａ  引き出し口
４  リールブレーキ
７  フロントカバー
２２ｄ，２２ｅ，３２ｄ，３２ｅ  側壁
２３，３４  窓部
２４，３５  リブ
４１  本体部
４２  腕部
Ｔ  磁気テープ
【図１】
2006351050.tif 000003
【図２】
2006351050.tif 000004
【図３】
2006351050.tif 000005
【図４】
2006351050.tif 000006
【図５】
2006351050.tif 000007
【図６】
2006351050.tif 000008
【図７】
2006351050.tif 000009
【図８】
2006351050.tif 000010
【図９】
2006351050.tif 000011
【図１０】
2006351050.tif 000012
【図１１】
2006351050.tif 000013